(57)【特許請求の範囲】
【請求項１】
入力された画像信号に対して所定の加工を行って出力する画像加工装置において、
多値のディジタル入力画像からマーカを抽出するマーカ抽出手段と、
多値のディジタル入力画像が低階調か高階調かを判断する階調性判断手段と、  前記マーカ抽出手段により抽出されたマーカを、前記階調性判断手段により低階調と判断された場合には大きな膨張率で膨張し、高階調と判断された場合には小さな膨張率で膨張するマーカ膨張手段と、
を備えたことを特徴とする画像加工装置。
【請求項２】
入力された画像信号に対して所定の加工を行って出力する画像加工方法において、
多値のディジタル入力画像からマーカを抽出する第１の工程と、
多値のディジタル入力画像が低階調か高階調かを判断する第２の工程と、
前記第１の工程で抽出されたマーカが低階調か高階調かを判断する第３の工程と、
第３の工程でマーカが低階調であると判断された場合には大きな膨張率で膨張し、高階調と判断された場合には小さな膨張率で膨張させる第４の工程と、
を含んでなることを特徴とする画像加工方法。
【発明の詳細な説明】
【０００１】
【発明の属する技術分野】
本発明は、文字などの画像に対してマーカ加工を行う画像加工装置および画像加工方法に関する。
【０００２】
【従来の技術】
近年、文字などの画像に対して影付け処理を行う場合、影の幅が可変にできることが一般的である。従来、この種の影付け処理では、入力画像の注目画素を影の方向と長さに応じた大きさのマトリクスに展開し、例えば右下４５°の方向に６ドットの長さの影を付ける場合には（１＋６）×（１＋６）ドットのマトリクスに展開し、例えば３画素×４ラインの入力画像に対して右下４５°の方向に６ドット分の長さの影を付加するようにしている。
【０００３】
また、２値の入力画像に対して網かけ／網のせ処理を行う場合には、予め登録された網かけ／網のせパターンと入力画像を論理和して合成するようにしており、中抜き処理を行う場合には、予め指定された中抜き幅の領域の黒を白に変化させ、２値の入力画像の白／黒の反転処理を行う場合には、例えば白地に黒の画像をべた黒地に白の画像に変化させるようにしている。
【０００４】
一般に、上記のような各種の加工を行う場合には、ユーザが原稿上の加工領域を蛍光ペンのようなマーカで指定し、このマーカにより囲まれた領域を識別して加工を行うと共にマーカを消去する。
【０００５】
【発明が解決しようとする課題】
ところで、１色現像の複写機では、このマーカは中間調信号として読み取られるので、図１２に示すように原稿画像が文字よりも低階調濃度の場合にはマーカ濃度の識別が十分であるが、図１３に示すように原稿画像が絵柄よりも高階調濃度の場合にはマーカが誤検出されやすいという問題点がある。
【０００６】
また、２色現像以上の複写機では、このマーカは色信号として読み取られるので、図１４に示すように色マーカが黒画像により途切れている場合には、図１５に示すように色マーカと認識されずに消去されないという問題点がある。
【０００７】
本発明はこのような問題点に鑑みてなされたもので、その目的は、原稿画像が文字画像か絵柄画像かにかかわらずマーカを正確に識別することができる画像加工装置および画像加工方法を提供することにある。
【０００９】
【課題を解決するための手段】
上記目的を達成するため、第１の手段は、多値のディジタル入力画像からマーカを抽出するマーカ抽出手段と、多値のディジタル入力画像が低階調か高階調かを判断する階調性判断手段と、前記マーカ抽出手段により抽出されたマーカを、前記階調性判断手段により低階調と判断された場合には大きな膨張率で膨張し、高階調と判断された場合には小さな膨張率で膨張するマーカ膨張手段とを備えたことを特徴とする。
【００１１】
また、第２の手段は、多値のディジタル入力画像からマーカを抽出する第１の工程と、多値のディジタル入力画像が低階調か高階調かを判断する第２の工程と、前記第１の工程で抽出されたマーカが低階調か高階調かを判断する第３の工程と、第３の工程でマーカが低階調であると判断された場合には大きな膨張率で膨張し、高階調と判断された場合には小さな膨張率で膨張させる第４の工程と備えていることを特徴とする。
【００１３】
このように構成すると、第１および第２の手段では、抽出されたマーカを低階調と判断された場合には大きな膨張率で膨張し、高階調と判断された場合には小さな膨張率で膨張するので、原稿画像が低階調の文字画像か高階調の絵柄画像かにかかわらずマーカを正確に識別することができる。
【００１５】
【発明の実施の形態】
以下、図面を参照して本発明の実施形態について説明する。
【００１６】
［第１の実施形態］
図１は本発明の第１の実施形態に係る画像加工装置のブロック図、図２は図１のマーカ抽出部を詳細に示すブロック図、図３は図２のマーカ抽出部のマーカ抽出動作を示す説明図、図４は図１の階調性設定部を詳細に示すブロック図、図５は図４の濃度分布計数部により計数される濃度分布を示す説明図、図６は図１のマーカ膨張率変化部を詳細に示すブロック図である。
【００１７】
図１において、ディジタル画像入力部５１を介して入力した例えば８ビットのディジタル画像データは図２に詳しく示すようなマーカ抽出部５２と図３に詳しく示すような階調性設定部５３に印加される。マーカ抽出部５２では図２、図３に示すように高濃度側評価部５６と低濃度側評価部５７によりそれぞれマーカ濃度の高濃度側と低濃度側が評価され、各評価結果に基づいてマーカ抽出部５８により連続性が評価され、マーカが抽出される。
【００１８】
階調性設定部５３では図４、図５に示すように４つの濃度分布計数部５９−１〜５９−４により４段階の濃度分布が計数される。次いでこの各濃度分布の計数値に基づいて濃度分布評価部６０により各計数値が各濃度領域に広く分布している場合には高階調として設定し、他方、局地的な場合には低階調として設定する。ここで、一般的には絵柄画像は分布が広く、文字画像は分布が局地化するので、濃度分布を計数することにより絵柄画像と文字画像を識別することができる。マーカ膨張率変化部５４では図６に示すように、階調性設定部５３の設定結果に基づいてマーカ膨張率決定部６１により膨張率が高階調（絵柄画像）では小さく、低階調（文字画像）では大きく決定される。そして、マーカ膨張部６２により、マーカ抽出部５８により抽出されたマーカがマーカ膨張率決定部６１により決定された膨張率で膨張され、この膨張されたマーカが図１に示すマーカ加工部５５により例えば消去される。
【００１９】
［第２の実施形態］
次に、図７〜図１１を参照して第２の実施形態について説明する。図７は第２の実施形態に係る画像加工装置のブロック図、図８は図７のマーカ抽出部を詳細に示すブロック図、図９は図７のマーカ膨張部を詳細に示すブロック図、図１０は図７のマーカ信号選択部を詳細に示すブロック図、図１１はマーカが消去された画像を示す説明図である。
【００２０】
図７において、ディジタル画像入力部７１からは例えば８ビットのディジタル画像データと１ビットの色信号が出力され、それぞれマーカ加工部７５と図８に詳しく示すようなマーカ抽出部７２に印加される。マーカ抽出部７２は２つのＦＩＦＯメモリと６つのフリップフロップにより色信号を遅延して３×３の色信号ａ〜ｉを得、色信号ａ〜ｉが全てマーカを検出している場合にマーカ信号とし、図９に詳しく示すようなマーカ膨張部７３と図１０に詳しく示すようなマーカ信号選択部７４に印加する。
【００２１】
続くマーカ膨張部７３では図９に示すように４つのＦＩＦＯメモリと１０個のフリップフロップにより、マーカ抽出部７２によりマーカとして検出されたマーカ信号を遅延して３×５のマーカ信号ａ〜ｏを得、マーカ信号ａ〜ｏの少なくとも１つがマーカを検出している場合に全てをマーカ信号とする。これによりマーカ信号は５×５に膨張されたことになる。
【００２２】
続くマーカ信号選択部７４では図１０に示すように、黒とぎれＯＮ／ＯＦＦモードがＯＮの場合にはマーカ膨張部７３により膨張されたマーカ信号を選択し、黒とぎれＯＮ／ＯＦＦモードがＯＦＦの場合にはマーカ抽出部７２により検出されたマーカ信号を選択する。そして、この選択されたマーカが図７に示すマーカ加工部５５により消去され、したがって、図１４に示すように色マーカが黒画像により途切れている場合にも図１１に示すように色マーカを消去することができる。
【００２３】
【発明の効果】
以上説明したように請求項１および２記載の発明によれば、抽出されたマーカを低階調と判断された場合には大きな膨張率で膨張し、高階調と判断された場合には小さな膨張率で膨張するので、原稿画像が低階調の文字画像か高階調の絵柄画像かにかかわらずマーカを正確に識別することができる。
【図面の簡単な説明】
【図１】本発明の第１の実施形態に係る画像加工装置の構成を示すブロック図である。
【図２】図１のマーカ抽出部を詳細に示すブロック図である。
【図３】図２のマーカ抽出部のマーカ抽出動作を示す説明図である。
【図４】図１の階調性設定部を詳細に示すブロック図である。
【図５】図４の濃度分布計数部により計数される濃度分布を示す説明図である。
【図６】図１のマーカ膨張率変化部を詳細に示すブロック図である。
【図７】第２の実施形態に係る画像加工装置の構成を示すブロック図である。
【図８】図７のマーカ抽出部を詳細に示すブロック図である。
【図９】図７のマーカ膨張部を詳細に示すブロック図である。
【図１０】図７のマーカ信号選択部を詳細に示すブロック図である。
【図１１】マーカが消去された画像を示す説明図である。
【図１２】原稿画像が文字よりの低階調濃度の場合のマーカ濃度を示す説明図である。
【図１３】原稿画像が絵柄よりの高階調濃度の場合のマーカ濃度を示す説明図である。
【図１４】色マーカが黒画像により途切れている場合を示す説明図である。
【図１５】色マーカが黒画像により途切れている場合の加工画像を示す説明図である。
【符号の説明】
５１  ディジタル画像入力部
５２，５８，７２  マーカ抽出部
５３  階調性設定部
５４  マーカ膨張率変化部
５５，７５  マーカ加工部
５６  高濃度側評価部
５７  低濃度側評価部
５９−１〜５９−４  濃度分布計数部
６０  濃度分布評価部
６１  マーカ膨張率決定部
６２，７３  マーカ膨張部
７４  マーカ信号選択部
【図１】
0003581751.tif 000002
【図２】
0003581751.tif 000003
【図３】
0003581751.tif 000004
【図４】
0003581751.tif 000005
【図５】
0003581751.tif 000006
【図６】
0003581751.tif 000007
【図７】
0003581751.tif 000008
【図８】
0003581751.tif 000009
【図９】
0003581751.tif 000010
【図１０】
0003581751.tif 000011
【図１１】
0003581751.tif 000012
【図１２】
0003581751.tif 000013
【図１３】
0003581751.tif 000014
【図１４】
0003581751.tif 000015
【図１５】
0003581751.tif 000016